(57)【要約】【課題】通信機能付きメータに変更を加えることなく、その積算値データや固有データ等を、ハンディーターミナルを用いて非接触で自動的に読み取れるようにする簡易なデータ送受信装置を提供する。【解決手段】通信機能付きマイコンメータ１０に付設して、該メータとハンディーターミナル３０との間を中継するデータ送受信装置２０に、マイコンメータ１０の通信インターフェース１４と接続できるシリアルインターフェース部２５と、このシリアルインターフェース部を通じてメータから読み出した積算値等のデータを記憶する記憶部２３と、ハンディーターミナル３０から発せられた電波によってアンテナコイル２１に誘導起電力を生ぜしめ、その電力で起動して前記記憶部２３に記憶されたデータを、ハンディーターミナルへ非接触で送信することができる送受信部２２とを備える。【選択図】図２
2006107522.tif 000002
【特許請求の範囲】
【請求項１】
通信機能付きメータの通信インターフェースと接続できるシリアルインターフェース部と、このシリアルインターフェース部を通じてメータから読み出した積算値等のデータを記憶する記憶部と、ハンディーターミナルから発せられた電波によってアンテナに誘導起電力を生ぜしめ、その電力で起動して前記記憶部に記憶されたデータを、該ハンディーターミナルへ非接触で送信することができる送受信部とを備え、前記通信機能付きメータに付設できるようにしてなることを特徴とする、通信機能付きメータ用データ送受信装置。
【請求項２】
メータ本体に取り付ける樹脂製ケース内に組み込んだことを特徴とする、請求項１に記載の通信機能付きメータ用データ送受信装置。
【請求項３】
前記記憶部に、前記メータの管理番号や交換年月日等の固有データを記憶でき、該固有データを、前記ハンディーターミナルからの電波による要求信号により該ハンディーターミナルへ送信できることを特徴とする、請求項１、または２に記載の通信機能付きメータ用データ送受信装置。
【請求項４】
前記記憶部に記憶されている前回のデータと、前記メータから読み出した今回のデータとを、前記ハンディーターミナルからの電波による要求信号により該ハンディーターミナルへ送信できることを特徴とする、請求項１、２、または３に記載の通信機能付きメータ用データ送受信装置。
【発明の詳細な説明】
【技術分野】
【０００１】
この発明は、通信機能を有するガスメータや電力メータや水道メータ等の通信機能付きメータにおける積算値データや固有データ等を非接触で読み取ることができる通信機能付きメータ用データ送受信装置に関する。
【背景技術】
【０００２】
従来、メータにマイコンを内蔵し、ガス使用量の積算値やガス使用時の異常を監視するガスメータ（以下、マイコンメータと言う）は普及しており、電話回線を利用し、ガス事業者へマイコンメータの積算値の自動検針やガス使用時の異常情報を送信することは行われている。
【０００３】
また、電話回線を利用しないで検針する場合には、たとえば検針員がハンディーターミナルを持ってマイコンメータの設置場所まで行き、マイコンメータの積算値を目視して、人手によりハンディーターミナルに手入力する検針方法も普及している。
【０００４】
さらに、特許文献１に記載されているように、電磁誘導式の送受信部と表示部とマイコン部とを備えたハンディーターミナルを使用して、マイコンメータの積算値を非接触で直接読み取る検針方法もすでに提供されている。
【０００５】
【特許文献１】特開平５−１０１２９３号公報
【発明の開示】
【発明が解決しようとする課題】
【０００６】
しかしながら、マイコンメータに電話回線を接続して通信を行うシステムでは、通信の設備投資が高いため、通信機能があるマイコンメータを使用していても、現実には全体設置率の僅かしかその通信機能を利用しておらず、一ガス事業者の中でも電話回線利用による自動検針とハンディーターミナルによる人手入力検針とを併用しているのが実状である。この人手入力検針の場合には、データ入力ミスが発生する問題があった。
【０００７】
また、マイコンメータの積算値を非接触で直接読み取れるハンディーターミナルを使用する場合には、それに対応した電磁誘導式送受信部をマイコンメータ側にも備えなければならず、その備えが無い既設のマイコンメータに適用するには難点があった。
【０００８】
そこで、この発明の目的は、通信機能付きメータは広く普及してきているが、ハンディーターミナルによる検針も併用され、また非接触で読み取れるハンディーターミナルも提供されている現状に鑑み、通信機能付きメータに変更を加えることなく、その積算値データや固有データ等を、ハンディーターミナルを用いて非接触で自動的に読み取れるようにする簡易なデータ送受信装置を提供することにある。
【課題を解決するための手段】
【０００９】
この発明による通信機能付きメータ用データ送受信装置は、通信機能付きメータに付設して、該通信機能付きメータとハンディーターミナルとの間を中継するものであって、通信機能付きメータの通信インターフェースと接続できるシリアルインターフェース部と、このシリアルインターフェース部を通じてメータから読み出した積算値等のデータを記憶する記憶部と、ハンディーターミナルから発せられた電波によってアンテナに誘導起電力を生ぜしめ、その電力で起動して前記記憶部に記憶されたデータを、該ハンディーターミナルへ非接触で送信することができる送受信部とを備えたことを特徴とする。
【００１０】
このデータ送受信装置は、既設の通信機能付きメータにも簡単に付設できるように、メータ本体に取り付ける樹脂製ケース内に組み込むとよい。
【００１１】
このデータ送受信装置の記憶部に、メータの管理番号や交換年月日等の固有データも記憶すれば、該固有データを、ハンディーターミナルからの電波による要求信号によりハンディーターミナルへ送信できる。
【００１２】
また、このデータ送受信装置の記憶部に記憶されている前回の検針データと、メータから新たに読み出した今回の検針データとを、ハンディーターミナルからの電波による要求信号によりハンディーターミナルへ送信すると、今回の積算値と前回の積算値をハンディーターミナルにおいて演算して、たとえば月毎の使用量を知ることができる。
【発明の効果】
【００１３】
請求項１に係る発明によれば、既設または新設の通信機能付きマイコンメータの通信端子に接続して付設するから、通信機能付きマイコンメータに変更を加えることなく、その積算値データや固有データ等を、ハンディーターミナルを用いて非接触で自動的に読み取れることができるので、電話回線に接続していないマイコンメータの積算値の計測を、記入ミスや入力ミスなく正確に検針できるようになる。
【００１４】
請求項２の発明によれば、メータ本体に取り付けるケース内に組み込むから、上記の効果に加え、既設のマイコンメータにも容易に取り付けることができる。
【００１５】
請求項３の発明によれば、マイコンメータの管理番号や交換年月日等の固有データを読み出すことができるので、既設のマイコンメータに付設することにより、そのメータの固有データの追加または変更が可能である。
【００１６】
請求項４の発明によれば、データ送受信装置の記憶部に記憶されている前回の検針データと、メータから新たに読み出した今回の検針データとを、ハンディーターミナルからの電波による要求信号により読み出すことができるので、ハンディーターミナルにおいてたとえば月毎の使用量を演算して表示できる。
【発明を実施するための最良の形態】
【００１７】
次に、この発明の実施の形態を図面にしたがって詳細に説明する。
図１は、通信機能付きマイコンメータ（ガスメータ）１０にこの発明によるデータ送受信装置２０を付設し、このデータ送受信装置２０を経由してマイコンメータ１０の積算値データ等をハンディーターミナル３０で非接触で読み取るシステムのブロック図である。
【００１８】
マイコンメータ１０は、マイコン１１、電池１２、液晶表示部１３、電話回線による伝送を行う伝送装置に接続可能な２つの通信端子ＤＴ・ＳＧを有する通信インターフェース１４、外部機器インターフェース１５、ガス遮断弁１６、流量センサ１７および積算カウンタ１８から構成されている。積算カウンタ１８の積算値はマイコン１１の内部メモリに記憶され、その積算値データを通信インターフェース１４により端子ＤＴ・ＳＧを経由して外部へ送信できるようになっている。
【００１９】
データ送受信装置２０は、アンテナコイル２１、送受信部２２、読み書き可能な記憶部２３、マイコンメータ１０と通信するためのシリアル通信変換部２４、マイコンメータ１０の通信端子ＤＴ・ＳＧとシリアル接続された通信インターフェース部２５、およびシーケンス部２６から構成され、マイコンメータ１０に付設されている。
【００２０】
ハンディーターミナル３０は、アンテナコイル３１、送受信部３２、電源部３３、マイコン部３４、表示部３５、ブザー３６、およびスイッチ３７から構成され、マイコンメータ１０とは分離している。
【００２１】
マイコンメータ１０の積算値等のデータを計測する場合、データ送受信装置２０のアンテナコイル２１にハンディーターミナル３０のアンテナコイル３１を近接させ、スイッチ３７をオンにしてハンディーターミナル３０から電波を発し、その電波によってアンテナコイル３１に誘導起電力を生ぜしめ、その電力で起動してデータ送受信装置２０を経由してマイコンメータ１０に要求信号を送信し、計測を開始する。
【００２２】
データ送受信装置２０において、アンテナコイル２１でハンディーターミナル３０からの信号を受信すると、誘起された電力により送受信部２２、シリアル通信変換部２４、記憶部２３、およびシーケンス部２６が駆動される。そして、記憶部２３に記憶されているマイコンメータ１０の管理番号や交換年月日等の固有データ、および該記憶部２３に記憶されていた前回の積算値データが読み出され、シーケンス部２６を経由して送受信部２２からハンディーターミナル３０へ送信される。
【００２３】
また、データ送受信装置２０において、ハンディーターミナル３０からの要求信号を受信すると、その信号はシリアル通信変換部２４にてマイコンメータ１０との通信プロトコルに変換され、通信インターフェース部２５を経由してマイコンメータ１０に送信される。
【００２４】
マイコンメータ１０のマイコン１１では、要求信号を受信すると、内部メモリに記憶している積算値データを通信インターフェース１４を経由してデータ送受信装置２０へ送信する。これを通信インターフェース部２５にて入力したデータ送受信装置２０は、シリアル通信変換部２４を経由して記憶部２３に送り、この記憶部２３に前回積算値として記憶するとともに、ハンディーターミナル３０に対しては、送受信部２２により今回の積算値データとして送信する。
【００２５】
上記のようにデータ送受信装置２０からハンディーターミナル３０へ送信された前回の積算値データおよび今回の積算値データは、ハンディーターミナル３０のマイコン部３４にて演算され、たとえば月毎の使用量として表示部３５に表示される。また、上記のようにデータ送受信装置２０から送信されたマイコンメータ１０の管理番号や交換年月日等の固有データも表示される。
【００２６】
図２は、マイコンメータ１０の外観図で、メータ本体４０の端子箱４０ａのプラスチック製の端子蓋（ケース）４１内に、この発明によるデータ送受信装置２０を一体に組み込み、この端子蓋４１にて端子箱４０ａを閉じることにより、データ送受信装置２０をメータ本体４０に付設するようにした例である。この場合、データ送受信装置２０は、大きくはアンテナ部とその他の電気回路部に分かれており、電気回路部に含まれる通信インターフェース部２５からの２本の信号線２５ａを、メータ本体４０の端子箱４０ａ内に設けられている通信端子ＤＴ・ＳＧに接続するようになっている。
【００２７】
したがって、データ送受信装置２０は、端子蓋４１を交換するだけで、既設のマイコンメータ１０に対しても容易に取り付けることができる。
【００２８】
図３は、端子蓋４１に代えて樹脂製の伝送ボックス（ケース）５０内にデータ送受信装置２０を組み込み、この伝送ボックス５０をメータ本体４０に直接的または間接的に取り付け、あるいは近傍に設置し、データ送受信装置２０の通信インターフェース部２５からの２本の信号線２５ａを、メータ本体４０側の通信端子ＤＴ・ＳＧに接続するようにしたものである。
【図面の簡単な説明】
【００２９】
【図１】この発明によるデータ送受信装置の内部構成と、これを使用してマイコンメータの積算値データ等をハンディーターミナルで非接触で読み取るシステムの構成を示すブロック図である。
【図２】この発明によるデータ送受信装置をマイコンメータのメータ本体に付設する一例の外観斜視図である。
【図３】別の付設例を示す斜視図である。
【符号の説明】
【００３０】
１０  マイコンメータ
１４  マイコンメータの通信インターフェース
２０  データ送受信装置
２１  アンテナコイル（アンテナ）
２２  送受信部
２３  記憶部
２４  シリアル通信変換部
２５  通信インターフェース部
２６  シーケンス部
３０  ハンディーターミナル
３２  ハンディーターミナルの送受信部
３４  ハンディーターミナルのマイコン部
４１  端子蓋（ケース）
５０  伝送ボックス（ケース）
【図１】
2006107522.tif 000003
【図２】
2006107522.tif 000004
【図３】
2006107522.tif 000005
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
メータから読み出した積算値等のデータを記憶する記憶部を備え、ハンディーターミナルから発せられた要求信号により起動して前記記憶部に記憶されたデータを、該ハンディーターミナルへ非接触で送信することを特徴とする、マイコンガスメータ用データ送受信装置。
【請求項２】
前記ハンディーターミナルから発せられた電波による要求信号によりアンテナに誘導起電力を生ぜしめ、その電力で起動してデータを前記ハンディーターミナルへ送信することを特徴とする、請求項１に記載のマイコンガスメータ用データ送受信装置。
【請求項３】
請求項１または２に記載のマイコンガスメータ用データ送受信装置を付設することを特徴とする、マイコンガスメータ。
【手続補正３】
【補正対象書類名】明細書
【補正対象項目名】０００１
【補正方法】変更
【補正の内容】
【０００１】
この発明は、マイコンガスメータ、およびその積算値データや固有データ等を非接触で読み取ることができるマイコンガスメータ用データ送受信装置に関する。
【手続補正４】
【補正対象書類名】明細書
【補正対象項目名】０００８
【補正方法】変更
【補正の内容】
【０００８】
そこで、この発明の目的は、通信機能付きメータは広く普及してきているが、ハンディーターミナルによる検針も併用され、また非接触で読み取れるハンディーターミナルも提供されている現状に鑑み、マイコンガスメータに変更を加えることなく、その積算値データや固有データ等を、ハンディーターミナルを用いて非接触で自動的に読み取れるようにする簡易なマイコンガスメータ用データ送受信装置、およびそれを備えるマイコンガスメータを提供することにある。
【手続補正５】
【補正対象書類名】明細書
【補正対象項目名】０００９
【補正方法】変更
【補正の内容】
【０００９】
この発明によるマイコンガスメータ用データ送受信装置は、マイコンガスメータに付設して、該マイコンガスメータとハンディーターミナルとの間を中継するものであって、メータから読み出した積算値等のデータを記憶する記憶部を備え、ハンディーターミナルから発せられた要求信号により起動して前記記憶部に記憶されたデータを、該ハンディーターミナルへ非接触で送信することを特徴とする。
【手続補正６】
【補正対象書類名】明細書
【補正対象項目名】００１０
【補正方法】変更
【補正の内容】
【００１０】
マイコンガスメータ用データ送受信装置は、ハンディーターミナルから発せられた電波による要求信号によりアンテナに誘導起電力を生ぜしめ、その電力で起動してデータをハンディーターミナルへ送信するとよい。
【手続補正７】
【補正対象書類名】明細書
【補正対象項目名】００１１
【補正方法】変更
【補正の内容】
【００１１】
また、そのようなマイコンガスメータ用データ送受信装置をマイコンガスメータに付設するとよい。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
この発明によれば、既設または新設のマイコンガスメータの通信端子に接続して付設するから、マイコンガスメータに変更を加えることなく、その積算値データや固有データ等を、ハンディーターミナルを用いて非接触で自動的に読み取れることができるので、電話回線に接続していないマイコンガスメータの積算値の計測を、記入ミスや入力ミスなく正確に検針できるようになる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】